(57)【要約】【課題】ユーザの意図通りに音声・字幕が再生されない場合でも、簡単な操作で自分好みの設定に変更できるようにする。【解決手段】ＤＶＤの再生開始時に、システムコントローラ３０は、再生設定メモリ３３に現在の再生用に設定されている再生音声・字幕情報と、初期設定メモリ３２にあらかじめ設定されている初期音声・字幕情報とを比較し、両者が異なっていると判断した場合に、その旨をユーザに通知して設定変更を促し、ユーザからの変更指示に応じて再生設定メモリ３３の設定を初期音声・字幕情報に変更するようにすることにより、ユーザが設定変更の指示を出すだけで、音声・字幕の設定を自分好みの初期設定に簡単に戻すことができるようにする。【選択図】        図１
2004207904.tif 000002
【特許請求の範囲】
【請求項１】
ＤＶＤの再生開始時に、現在の再生用に設定されている再生音声・字幕情報と、再生装置にあらかじめ設定されている初期音声・字幕情報とを比較し、両者が一致しているか否かを判断する比較手段と、
上記比較手段により不一致と判断されたときに、その旨をユーザに通知して音声・字幕の設定変更を行うか否かの問い合わせを行う問い合わせ手段と、
上記問い合わせ手段による問い合わせに応答して上記ユーザにより設定変更の指示が成されたときに、再生音声・字幕情報の設定を上記初期音声・字幕情報に変更する設定変更手段とを備えたことを特徴とするＤＶＤ再生装置。
【請求項２】
上記設定変更手段は、上記ＤＶＤが持つメニュー画面に遷移して上記再生音声・字幕情報の設定を上記初期音声・字幕情報に変更することを特徴とする請求項１に記載のＤＶＤ再生装置。
【請求項３】
ＤＶＤの再生開始時に、現在の再生用に設定されている再生音声・字幕情報と、再生装置にあらかじめ設定されている初期音声・字幕情報とを比較し、両者が一致しているか否かを判断する比較手段と、
上記比較手段により不一致と判断されたときに、再生音声・字幕情報の設定を上記初期音声・字幕情報に変更する設定変更手段とを備えたことを特徴とするＤＶＤ再生装置。
【請求項４】
特定言語の音声・字幕を強制的に設定する情報が記述されているＤＶＤの再生開始時に、当該ＤＶＤの記述に従って設定されている特定言語の再生音声・字幕情報と、再生装置にあらかじめ設定されている初期音声・字幕情報とを比較するステップと、
上記比較の結果両者の不一致が検出されたときに、その旨をユーザに通知して音声・字幕の設定変更を行うか否かの問い合わせを行うステップと、
上記問い合わせに応答してユーザにより設定変更の指示が成されたときに、再生音声・字幕情報の設定を上記初期音声・字幕情報に変更するステップとを有することを特徴とする音声・字幕設定方法。
【請求項５】
上記問い合わせに応答してユーザにより設定変更の指示が成されたときに、上記ＤＶＤが持つメニュー画面に遷移して、上記再生音声・字幕情報の設定を上記初期音声・字幕情報に変更することを特徴とする請求項４に記載の音声・字幕設定方法。
【発明の詳細な説明】
【０００１】
【発明の属する技術分野】
本発明はＤＶＤ再生装置およびその音声・字幕設定方法に関し、特に、音声・字幕を強制的に設定する情報が記述されているＤＶＤ（Digital Versatile Disk）を再生する際における音声・字幕の設定技術に関するものである。
【０００２】
【従来の技術】
従来、データを記録するための記録媒体として、多種多様なメディアが提供されている。近年では、大容量のデータを記録することができる便利さが受けて、ＤＶＤが普及している。ＤＶＤの中には、映画等を記録したＤＶＤビデオが存在する。これにより、家庭においても映画等を高画質かつ高音質で楽しむことができるようになっている。
【０００３】
ＤＶＤの規格では、音声言語は最大８言語、字幕言語（サブピクチャ）は最大３２言語まで記録することができる。また、このＤＶＤ規格上では、ＤＶＤディスク（ＤＶＤ規格に順じて作製されたディスク）に複数の音声言語および字幕言語が記録されている場合、プレーヤに設定されている音声・字幕情報がＤＶＤディスク中に含まれていれば、当該プレーヤに設定された音声・字幕情報に従って再生を行うように定められている。
【０００４】
したがって、ユーザが自分の好みの音声と字幕をプレーヤに一度設定しておけば、以降はその設定操作を一々行うことなく、所望の音声言語および字幕言語にてＤＶＤビデオの再生を楽しむことができる。なお、再生中に当該再生言語を記憶しておき、次回再生時は前回再生時と同じ言語にて再生を行うようにした技術も存在する（例えば、特許文献１参照）。
【０００５】
【特許文献１】
特開２００１−３５９０４２号公報
【０００６】
【発明が解決しようとする課題】
ところで、ＤＶＤビデオの中には、プレーヤに設定されている音声・字幕情報にかかわらず、ディスク提供者が希望する特定の音声・字幕を強制的に設定する情報が記述されているものも存在する。このように音声・字幕情報がディスクによって強制的に設定されるものは、その通りに再生しなければならないことがＤＶＤの規格上定められている。したがって、この場合には、ユーザの意図しない音声・字幕にてＤＶＤの再生が開始してしまう。
【０００７】
例えば、プレーヤ側では「音声＝英語、字幕＝日本語」に設定しているにもかかわらず、ディスク中に「音声＝日本語、字幕＝ＯＦＦ」という強制的な情報が記述されている場合には、ユーザの意図しない音声・字幕にて再生が開始してしまう。このような場合にユーザは、ディスク中に格納されているメニュー情報を呼び出して、音声・字幕情報を自分の好みに設定し直さなければならない。
【０００８】
図１２は、従来の動作を画面イメージにより示す図である。図１２に示すように、ＤＶＤの再生を開始した後、数分間のオープニングロールや主題歌を経て本編に入った段階で、ユーザが音声・字幕情報の設定違いに気づいたとする。すなわち、プレーヤ側に「音声＝英語、字幕＝日本語」と設定しているにもかかわらず、「音声＝日本語、字幕＝ＯＦＦ」の設定で再生されていることに気づいた場合に、ユーザは次のような操作を行う必要がある。
【０００９】
１．ディスクが持つメニュー画面を呼び出して表示する。
２．音声設定ボタンを操作し、所望の設定（音声＝英語）に変更する。
３．字幕設定ボタンを操作し、所望の設定（字幕＝日本語）に変更する。
４．再びメニュー画面に戻り、リジューム再生（前回停止した位置からの再生）により本編に戻る。
【００１０】
このように、特定の音声・字幕を強制的に設定する情報が記述されているＤＶＤビデオを再生する場合には、ユーザの意図しない音声・字幕にて再生されることが多い。その場合にユーザは、音声・字幕情報を設定し直すために面倒な操作をしなければならず、非常に不便であるという問題があった。
【００１１】
また、本編の前に数分間のオープニングロール等が入っているＤＶＤビデオもあるが、このオープニングロール等は、本編の音声・字幕設定とは全く関係のないものである。したがって、オープニングロール等を見ている間は本編の音声・字幕設定がどのようになっているかは分からない。そのため、上述のような設定変更の操作は本編の再生に入ってからでないと行うことができず、本編に集中しようとしているユーザに不快感を与えてしまうという問題もあった。
【００１２】
本発明は、このような問題を解決するために成されたものであり、ユーザの意図通りに音声・字幕が再生されない場合でも、簡単な操作で自分好みの設定に変更できるようにすることを目的とする。
また、本発明は、本編の再生に入る前に自分好みの設定に変更できるようにすることも目的としている。
【００１３】
【課題を解決するための手段】
上記した課題を解決するために、本発明では、ＤＶＤの再生開始時に、現在の再生用に設定されている再生音声・字幕情報と、再生装置にあらかじめ設定されている初期音声・字幕情報とを比較し、両者の不一致が検出されたときに、その旨をユーザに通知して音声・字幕の設定変更を行うか否かの問い合わせを行った後、再生音声・字幕情報の設定を上記初期音声・字幕情報に変更するようにしている。
【００１４】
このように構成した本発明によれば、ＤＶＤに記述されている情報に従って特定言語の音声・字幕を強制的に設定して再生が開始されたような場合において、その再生用の設定が、ユーザがあらかじめ再生装置に設定しておいた自分好みの音声・字幕と異なる場合には、その旨がユーザに通知される。ユーザはこれに応答して設定変更の指示を出すだけで、音声・字幕の設定を自分好みの初期設定に戻すことができる。
【００１５】
また、音声・字幕の設定が異なっているか否かの判断はＤＶＤの再生直後に行われ、本編の音声・字幕設定とは全く関係のないオープニングロール等の再生時点において、設定が異なっているかどうかが判明する。よって、本編に入る前にあらかじめ音声・字幕設定を変更することができる。
【００１６】
【発明の実施の形態】
以下、本発明の一実施形態を図面に基づいて説明する。
図１は、本実施形態によるＤＶＤ再生装置の構成例を示すブロック図である。
【００１７】
図１において、１０は装置に装填されたＤＶＤディスク、１１はＤＶＤディスク１０を回転させるスピンドルモータである。１２は光ピックアップであり、ＤＶＤディスク１０にレーザ光を照射し、その反射光によってＤＶＤディスク１０に記録されているデータを読み出す。そして、読み出したデータに対応する再生ＲＦ信号を出力する。
【００１８】
１３は送りモータであり、光ピックアップ１２が搭載されたスレッド（図示せず）をＤＶＤディスク１０の半径方向に移動させ、再生位置を決定する。１４はサーボ制御部であり、後述するシステムコントローラ３０等から供給される制御信号に応じて、スピンドルモータ１１の回転制御、光ピックアップ１２のトラッキング制御およびフォーカス制御、送りモータ１３の駆動制御を行う。
【００１９】
１５はＲＦアンプであり、光ピックアップ１２から出力されたＲＦ信号を増幅して次段に伝達する。このＲＦアンプ１５はまた、ＲＦ信号からフォーカスサーチおよびトラッキングの制御信号（レーザ光の焦点位置に関してＤＶＤディスク１０に垂直な方向および平行な方向のずれを補正するための信号）を分離して、これらの制御信号をサーボ制御部１４に送る。サーボ制御部１４は、これらの制御信号に基づいて焦点位置を垂直な方向および平行な方向にサーボ制御することにより、データの再生を正確に行うように構成されている。
【００２０】
１６はデジタル信号処理部であり、ＲＦアンプ２２により増幅されたＲＦ信号をデジタル信号処理し、一部の制御信号を分離する。分離された制御信号は、サーボ制御部１４および後述するシステムコントローラ３０に送られる。１７はＲＡＭであり、デジタル信号処理部１６により行われる信号処理の過程で得られるデータや、その処理の結果得られるデータを一時的に格納する。
【００２１】
１８はストリーム分離部であり、デジタル信号処理部１６から出力された信号を、オーディオビットストリーム、メインピクチャビットストリームおよびサブピクチャビットストリームに分離する。ここで、メインピクチャビットストリームはＭＰＥＧ２のフォーマットに従って圧縮された信号であり、この中には映像情報が含まれる。また、サブピクチャビットストリームはランレングス圧縮方式に従って圧縮された信号であり、この中には字幕情報が含まれる。
【００２２】
１９はオーディオデコーダであり、ストリーム分離部１８で分離されたオーディオビットストリームを復号化処理して、デジタルオーディオ信号を出力する。このオーディオデコーダ１９は、オーディオ信号の種類（リニアＰＣＭ、ＡＣ−３およびＭＰＥＧオーディオ等）に応じた復号化処理を実施する。２０はＲＡＭであり、オーディオデコーダ１９により行われる復号化処理の過程で得られるデータや、その処理の結果得られるデータを一時的に格納する。
【００２３】
２１はＤ／Ａ変換器であり、オーディオデコーダ１９より出力されたデジタルオーディオ信号をアナログオーディオ信号に変換する。Ｄ／Ａ変換器２１より出力されたアナログオーディオ信号は、パワーアンプ（図示せず）を介してスピーカ（図示せず）より出力される。
【００２４】
２２はビデオデコーダであり、ストリーム分離部１８で分離されたメインピクチャビットストリームを復号化処理する。２３はＲＡＭであり、ビデオデコーダ２２により行われる復号化処理の過程で得られるデータや、その処理の結果得られるデータを一時的に格納する。
【００２５】
２４はサブピクチャデコーダであり、ストリーム分離部１８で分離されたサブピクチャビットストリームを復号化処理する。２５はＲＡＭであり、サブピクチャデコーダ２４により行われる復号化処理の過程で得られるデータや、その処理の結果得られるデータを一時的に格納する。
【００２６】
２６はビデオプロセッサであり、ビデオデコーダ２２から出力されるメインピクチャとサブピクチャデコーダ２４から出力されるサブピクチャとをデジタル合成する。２７はビデオエンコーダであり、ビデオプロセッサ２６から出力されたデジタル画像信号をアナログ画像信号に変換する。このビデオエンコーダ２７から出力された画像信号は、ＣＲＴ（Cathode-Ray Tube）または液晶パネル等の表示装置（図示せず）に送られ、これにより表示装置に画像が表示される。
【００２７】
２８は種々の操作ボタン等が設けられた操作部であり、再生、停止、早送り、ボリューム設定等の各種操作を行うことができるようになっている。この操作部２８は、ユーザが希望する音声・字幕情報をＤＶＤ再生装置に初期設定したり、ＤＶＤ再生装置からの問い合わせに応答して音声・字幕情報の設定変更を指示したりする際にも使用する。
【００２８】
システムコントローラ３０は、操作部２８からの信号、デジタル信号処理部１６からの信号およびストリーム分離部１８からの信号に基づいて、サーボ制御部１４、デジタル信号処理部１６、ストリーム分離部１８およびビデオプロセッサ２６を制御する。
【００２９】
このシステムコントローラ３０はまた、特定言語の音声・字幕を強制的に設定する情報が記述されているＤＶＤディスク１０の再生が開始されたときに、当該ＤＶＤディスク１０の記述に従って再生用に設定された特定言語の音声・字幕情報と、再生装置に初期設定されている音声・字幕情報とを比較し、両者が一致していない場合に音声・字幕情報の設定を変更する処理も行う。
【００３０】
このときシステムコントローラ３０は、音声・字幕情報の不一致をユーザに通知して、音声・字幕の設定変更を行うか否かを問い合わせる。そして、この問い合わせに応答してユーザにより設定変更の指示が成されたときに、音声・字幕情報の設定を変更するようにする。ユーザへの通知は、表示装置（図示せず）にメッセージを表示することによって行っても良いし、スピーカ（図示せず）から音声を出力することによって行っても良い。
【００３１】
このように、システムコントローラ３０は、本発明の比較手段、問い合わせ手段、設定変更手段を構成する。
【００３２】
３１はＲＡＭであり、システムコントローラ３０により行われる処理の過程で得られるデータや、その処理の結果得られるデータを一時的に格納する。３２は初期設定メモリであり、操作部２８の操作によって初期設定されたユーザが希望する音声・字幕情報を記憶する。３３は再生設定メモリであり、再生用の音声・字幕情報を記憶する。なお、この再生設定メモリ３３はＲＡＭ３１の一部領域を利用して構成しても良い。
【００３３】
上述の初期設定メモリ３２は不揮発性のメモリである。原則的には、ここに記憶されている音声・字幕情報がＤＶＤディスク１０中に含まれていれば、この初期設定された音声・字幕情報に従って再生が行われる。すなわち、システムコントローラ３０は、初期設定メモリ３２に保存されている音声・字幕情報を再生設定メモリ３３にセットし、そのセットした情報に従って再生を行う。
【００３４】
また、特定言語の音声・字幕を強制的に設定する情報がＤＶＤディスク１０に記述されている場合、システムコントローラ３０は、初期設定メモリ３２に保存されている音声・字幕情報にかかわらず、ＤＶＤディスク１０の記述により特定された音声・字幕情報を再生設定メモリ３３にセットし、そのセットした情報に従って再生を行う。
【００３５】
ここで、ＤＶＤディスク１０に記録されているデータの構造を説明する。ＤＶＤディスク１０には、図４（ａ）に示す１つのビデオマネージャ（ＶＭＧ）と、図４（ｂ）に示す１または複数のビデオタイトルセット（ＶＴＳ）とが記録されている。
【００３６】
図４（ａ）に示すように、ビデオマネージャ（ＶＭＧ）は、先頭におかれるビデオマネージャ情報（ＶＭＧＩ）と、ＶＭＧメニュー用ビデオオブジェクトセット（ＶＭＧＭ＿ＶＯＢＳ）と、末尾におかれるバックアップ用ビデオマネージャ情報（ＶＭＧＩ）とにより構成されている。先頭のビデオマネージャ情報（ＶＭＧＩ）は、ＤＶＤビデオ全体についての制御情報である。また、ＶＭＧメニュー用ビデオオブジェクトセット（ＶＭＧＭ＿ＶＯＢＳ）は、タイトル選択メニューのためのコンテンツである。
【００３７】
また、図４（ｂ）に示すように、ビデオタイトルセット（ＶＴＳ）は、先頭におかれるビデオタイトルセット情報（ＶＴＳＩ）と、ＶＴＳメニュー用ビデオオブジェクトセット（ＶＴＳＭ＿ＶＯＢＳ）と、ＶＴＳタイトル用ビデオオブジェクトセット（ＶＴＳＴＴ＿ＶＯＢＳ）と、末尾におかれるバックアップ用ビデオタイトルセット情報（ＶＴＳＩ）とにより構成されている。
【００３８】
先頭のビデオタイトルセット情報（ＶＴＳＩ）は、そのビデオタイトルセット（ＶＴＳ）に対する制御情報である。また、ＶＴＳメニュー用ビデオオブジェクトセット（ＶＴＳＭ＿ＶＯＢＳ）はビデオタイトルセット（ＶＴＳ）内の各種メニューのためのコンテンツであり、ＶＴＳタイトル用ビデオオブジェクトセット（ＶＴＳＴＴ＿ＶＯＢＳ）はタイトル再生のためのコンテンツである。
【００３９】
図４に示すように、再生制御情報（ＰＣＩ：Presentation Control Information）とデータサーチ情報（ＤＳＩ：Data Search Information）とが、映像や音声等のデータ（プレゼンテーションデータ）とともにビデオオブジェクトセット（ＶＯＢＳ）内に分配配置されている。この再生制御情報（ＰＣＩ）およびデータサーチ情報（ＤＳＩ）と、上述のビデオマネージャ情報（ＶＭＧＩ）およびビデオタイトルセット情報（ＶＴＳＩ）とは、プレゼンテーションデータの属性と再生制御に関するナビゲーションデータと呼ばれる。
【００４０】
図５に示すように、ビデオマネージャ情報（ＶＭＧＩ）は、ビデオマネージャ情報管理テーブル（ＶＭＧＩ＿ＭＡＴ）、タイトルサーチポインタテーブル（ＴＴ＿ＳＲＰＴ）、ビデオマネージャメニューＰＧＣＩユニットテーブル（ＶＭＧＭ＿ＰＧＣＩ＿ＵＴ）、パレンタル管理情報テーブル（ＰＴＬ＿ＭＡＩＴ）、ビデオタイトルセット属性情報テーブル（ＶＴＳ＿ＡＴＲＴ）、テキストデータマネージャ（ＴＸＴＤＴ＿ＭＧ）、ビデオマネージャメニューセルアドレステーブル（ＶＭＧＭ＿Ｃ＿ＡＤＴ）およびビデオマネージャメニュービデオオブジェクトユニットアドレスマップ（ＶＭＧＭ＿ＶＯＢＵ＿ＡＤＭＡＰ）により構成されている。
【００４１】
これらのうち、タイトルサーチポインタテーブル（ＴＴ＿ＳＲＰＴ）には、タイトルプレイバックタイプ（ＴＴ＿ＰＢ＿ＴＹ）、アングル数（ＡＧＬ＿Ｎｓ）パートオブタイトルの数（ＰＴＴ＿Ｎｓ）、タイトル用パレンタルＩＤフィールド（ＴＴ＿ＰＴＬ＿ＩＤ＿ＦＬＤ）、ＶＴＳ番号（ＶＴＳＮ）、ＶＴＳタイトル番号（ＶＴＳ＿ＴＴＮ）およびビデオタイトルセットの先頭アドレス（ＶＴＳ＿ＳＡ）が記録されている。
【００４２】
図６に示すように、ビデオタイトルセット情報（ＶＴＳＩ）は、ビデオタイトルセット情報管理テーブル（ＶＴＳＩ＿ＭＡＴ）、ビデオタイトルセットＰＴＴサーチポインタテーブル（ＶＴＳ＿ＰＴＴ＿ＳＲＰＴ）、ビデオタイトルセットプログラムチェーン情報テーブル（ＶＴＳ＿ＰＧＣＩＴ）、ビデオタイトルセットメニューＰＧＣＩユニットテーブル（ＶＴＳＭ＿ＰＧＣＩ＿ＵＴ）、ビデオタイトルセットタイムマップテーブル（ＶＴＳ＿ＴＭＡＰＴ）、ビデオタイトルセットセルアドレステーブル（ＶＴＳＭ＿Ｃ＿ＡＤＴ）、ビデオタイトルセットメニュービデオオブジェクトユニットアドレスマップ（ＶＴＳＭ＿ＶＯＢＵ＿ＡＤＭＡＰ）、ビデオタイトルセットセルアドレステーブル（ＶＴＳ＿Ｃ＿ＡＤＴ）およびビデオタイトルセットビデオオブジェクトユニットアドレスマップ（ＶＴＳ＿ＶＯＢＵ＿ＡＤＭＡＰ）により構成されている。
【００４３】
これらのうち、ビデオタイトルセット情報管理テーブル（ＶＴＳＩ＿ＭＡＴ）には、ビデオタイトルセットメニュー（ＶＴＳＭ）のオーディオストリーム数（ＶＴＳＭ＿ＡＳＴ＿Ｎｓ）、ビデオタイトルセットメニュー（ＶＴＳＭ）のサブピクチャストリーム数（ＶＴＳＭ＿ＳＰＳＴ＿Ｎｓ）およびビデオタイトルセット（ＶＴＳ）のサブピクチャストリーム数（ＶＴＳ＿ＳＰＳＴ＿Ｎｓ）が記録されている。
【００４４】
また、上述のビデオマネージャ情報（ＶＭＧＩ）およびビデオタイトルセット情報（ＶＴＳＩ）の中には、プログラムチェーン情報（ＰＧＣＩ）が記述されている。このプログラムチェーン情報（ＰＧＣＩ）は、プログラムチェーン（ＰＧＣ）の再生を制御するためのナビゲーションデータである。
【００４５】
図７に示すように、プログラムチェーン情報（ＰＧＣＩ）は、プログラムチェーン一般情報（ＰＧＣ＿ＧＩ）、プログラムチェーンコマンドテーブル（ＰＧＣ＿ＣＭＤＴ）、プログラムチェーンプログラムマップ（ＰＧＣ＿ＰＧＭＡＰ）、セル再生情報テーブル（Ｃ＿ＰＢＩＴ）およびセル位置情報テーブル（Ｃ＿ＰＯＳＩＴ）により構成されている。
【００４６】
図８に示すように、プログラムチェーン一般情報（ＰＧＣ＿ＧＩ）は、ＰＧＣ内容（ＰＧＣ＿ＣＮＴ）、ＰＧＣ再生時間（ＰＧＣ＿ＰＢ＿ＴＭ）、ＰＧＣユーザ操作制御（ＰＧＣ＿ＵＯＰ＿ＣＴＬ）、ＰＧＣオーディオストリーム制御テーブル（ＰＧＣ＿ＡＳＴ＿ＣＴＬＴ）、ＰＧＣサブピクチャストリーム制御テーブル（ＰＧＣ＿ＳＰＳＴ＿ＣＴＬＴ）、ＰＧＣナビゲーションコントロール（ＰＧＣ＿ＮＶ＿ＣＴＬ）、ＰＧＣサブピクチャパレット（ＰＧＣ＿ＳＰ＿ＰＬＴ）、ＰＧＣ＿ＣＭＤＴの先頭アドレス（ＰＧＣ＿ＣＭＤＴ＿ＳＡ）、ＰＧＣ＿ＰＧＭＡＰの先頭アドレス（ＰＧＣ＿ＰＧＭＡＰ＿ＳＡ）、Ｃ＿ＰＢＩＴの先頭アドレス（Ｃ＿ＰＢＩＴ＿ＳＡ）およびＣ＿ＰＯＳＩＴの先頭アドレス（Ｃ＿ＰＯＳＩＴ＿ＳＡ）により構成されている。
【００４７】
これらのうち、ＰＧＣユーザ操作制御（ＰＧＣ＿ＵＯＰ＿ＣＴＬ）には、当該プログラムチェーンの再生中に禁止されるユーザ操作が記述されている。すなわち、このＰＧＣユーザ操作制御（ＰＧＣ＿ＵＯＰ＿ＣＴＬ）は４バイト（３２ビット）のデータであり、各ビット（リザーブのビットを除く）がそれぞれ字幕切り替え、音声切り替えおよびアングル切り替え等のユーザ操作に割り当てられている。
【００４８】
ビットの値が“０”のときは当該ユーザ操作が許可され、“１”のときは当該ユーザ操作が禁止されていることを意味している。したがって、このＰＧＣユーザ操作制御（ＰＧＣ＿ＵＯＰ＿ＣＴＬ）の操作内容に応じたビットの値を参照することにより、音声や字幕の切り替えがＤＶＤディスク１０の制作者により禁止されているか否かが分かる。
【００４９】
また、ＰＧＣオーディオストリーム制御テーブル（ＰＧＣ＿ＡＳＴ＿ＣＴＬＴ）は、０から７までのオーディオストリームに関するデータである。各オーディオストリームに２バイトが割り当てられている。各オーディオストリームの最初の１ビットが有効性フラグで、この有効性フラグが“１”のときは当該プログラムチェーン内で有効を示し、“０”のときは当該プログラムチェーン内で無効を示している。したがって、ＰＧＣオーディオストリーム制御テーブル（ＰＧＣ＿ＡＳＴ＿ＣＴＬＴ）を参照することにより、プログラムチェーン内で利用できるオーディオストリームの数を知ることができる。
【００５０】
また、ＰＧＣサブピクチャストリーム制御テーブル（ＰＧＣ＿ＳＰＳＴ＿ＣＴＬＴ）は、０から３１までのサブピクチャに関するデータである。各サブピクチャストリームに４バイトが割り当てられている。各サブピクチャの最初の１ビットが有効性フラグであり、この有効性フラグが“１”のときは当該プログラムチェーン内で有効を示し、“０”のときは当該プログラムチェーン内で無効を示している。したがって、ＰＧＣサブピクチャストリーム制御テーブル（ＰＧＣ＿ＳＰＳＴ＿ＣＴＬＴ）を参照することにより、プログラムチェーン内で利用できるサブピクチャ（字幕）の数を知ることができる。
【００５１】
上述の再生制御情報（ＰＣＩ）は、ビデオオブジェクトユニット（ＶＯＢＵ）の再生を制御するナビゲーションデータである。この再生制御情報（ＰＣＩ）は、図９に示すように、ＰＣＩ一般情報（ＰＣＩ＿ＧＩ）、非シームレス用アングル情報（ＮＳＭＬ＿ＡＧＬＩ）、ハイライト情報（ＨＬＩ）および記録情報（ＲＥＣＩ）により構成されている。
【００５２】
これらのうち、ＰＣＩ一般情報（ＰＣＩ＿ＧＩ）は、図１０に示すように、ナビゲーションパックのＬＢＮ（ＮＶ＿ＰＣＫ＿ＬＢＮ）、ＶＯＢＵのカテゴリ（ＶＯＢＵ＿ＣＡＴ）、ＶＯＢＵのユーザ操作制御（ＶＯＢＵ＿ＵＯＰ＿ＣＴＬ）、ＶＯＢＵの開始ＰＴＭ（再生開始時刻：ＶＯＢＵ＿Ｓ＿ＰＴＭ）、ＶＯＢＵの終了ＰＴＭ（再生終了時刻：ＶＯＢＵ＿Ｅ＿ＰＴＭ）、ＶＯＢＵ内シーケンスエンドの終了ＰＴＭ（再生終了時刻：ＶＯＢＵ＿ＳＥ＿Ｅ＿ＰＴＭ）およびセル内経過時間（Ｃ＿ＥＫＴＭ）により構成されている。
【００５３】
ＶＯＢＵのユーザ操作制御（ＶＯＢＵ＿ＵＯＰ＿ＣＴＬ）には、当該再生制御情報（ＰＣＩ）が含まれるビデオオブジェクトユニット（ＶＯＢＵ）の再生期間中に禁止されるユーザ操作が記述されている。すなわち、このＶＯＢＵのユーザ操作制御（ＶＯＢＵ＿ＵＯＰ＿ＣＴＬ）は４バイト（３２ビット）のデータであり、各ビット（リザーブビットを除く）がそれぞれ字幕切り替え、音声切り替えおよびアングル切り替え等のユーザ操作に割り当てられている。
【００５４】
ビットの値が“０”のときは当該ユーザ操作が許可され、“１”のときは当該ユーザ操作が禁止されていることを意味している。したがって、このＶＯＢＵのユーザ操作制御（ＶＯＢＵ＿ＵＯＰ＿ＣＴＬ）の操作内容に応じたビットの値を参照することにより、音声や字幕の切り替えがＤＶＤディスク１０の制作者により禁止されているか否かが分かる。
【００５５】
次に、上記のように構成した本実施形態によるＤＶＤ再生装置の動作について説明する。図２は、本実施形態の再生動作を画面イメージにより示す図である。また、図３は、システムコントローラ３０によって行われる再生制御動作を示すフローチャートである。以下、これらの図に基づいて説明する。
【００５６】
ＤＶＤディスク１０の再生が開始されると、システムコントローラ３０は、初期設定メモリ３２に保存されている初期設定に係る音声・字幕情報と、再生設定メモリ３３にセットされた再生用の音声・字幕情報とを比較して、両者が一致するかどうかを判断する（ステップＳ１）。
【００５７】
ここで、ＤＶＤディスク１０の記述に従って特定の音声・字幕情報が再生設定メモリ３３にセットされている場合には、初期設定メモリ３２内の設定と再生設定メモリ３３内の設定とが一致しないことがある。システムコントローラ３０は、設定の違いを検出した場合、その旨を表す注意画面を表示して、再生しようとする音声・字幕情報の設定を変更するかどうかについて、ユーザに問い合わせる（ステップＳ２）。
【００５８】
これに応答してユーザが操作部２８を操作して設定変更を指示すると（ステップＳ３）、システムコントローラ３０は、ＤＶＤディスク１０から音声・字幕情報の設定メニューを読み出して画面表示する（ステップＳ４）。そして、初期設定メモリ３２に保存されている音声・字幕情報を再生設定メモリ３３にセットした後（ステップＳ５）、注意画面を表示する前の元の位置からリジューム再生する（ステップＳ６）。
【００５９】
このように、設定変更が指示されたときに一旦メニュー画面に遷移するのは、プログラムチェーンやビデオオブジェクトユニットの再生中に音声や字幕の切り替えが禁止されているディスクに対応するためである。再生中における音声や字幕の切り替えが禁止されているディスクであっても、メニュー画面に遷移することで設定変更が可能となる。したがって、本実施形態ではメニュー画面に遷移はするが、ここでユーザが操作部２８を操作して何らかの指示を出すことはなく、音声・字幕情報の設定変更が自動的に行われる。
【００６０】
なお、再生中における音声や字幕の切り替えが禁止されているかどうかをシステムコントローラ３０が判断し、禁止されている場合にのみメニュー画面に遷移するようにしても良い。この場合には、上述のような禁止が施されていないＤＶＤディスク１０に関しては、ユーザが何ら関与することのないメニュー画面の表示を省略することができるので、注意画面から元の映像へとスムーズに戻ることができる。
【００６１】
上記ステップＳ１で初期設定メモリ３２の設定情報と再生設定メモリ３３の設定情報とが一致すると判断した場合、および、上記ステップＳ３でユーザが設定変更の指示を出さなかった場合は、そのまま再生設定メモリ３３の設定情報に従って再生を続行する（ステップＳ７）。
【００６２】
以上詳しく説明したように、本実施形態によれば、ＤＶＤディスク１０の再生開始時に、再生設定メモリ３３に設定されている再生音声・字幕情報と、初期設定メモリ３２にあらかじめ設定されている初期音声・字幕情報とを比較し、両者の不一致が検出されたときに、その旨をユーザに通知して設定変更を促し、ユーザからの変更指示に応じて音声・字幕の設定を初期音声・字幕情報に変更するようにしている。
【００６３】
これにより、ユーザがあらかじめＤＶＤ再生装置に設定しておいた音声・字幕情報に従って意図通りに再生されない場合でも、再生装置から自動的に行われる通知に対して１回の変更指示操作を行うだけで、音声・字幕の設定を自分好みの初期設定に戻すことができ、ユーザの操作負担を格段に軽減することができる。また、図２に示すように、ＤＶＤディスク１０の再生開始直後に音声・字幕情報の設定違いが判明するため、ユーザは本編の最初から所望の設定でＤＶＤディスク１０の再生を楽しむことができる。
【００６４】
なお、上記実施形態では、再生開始直後に設定の違いを検出したときに、ユーザに設定変更の有無を問い合わせてから実際に設定変更を行うようにしているが、ユーザへの問い合わせを行うことなく自動的に音声・字幕情報の設定を変更するようにしても良い。その場合のフローチャートを図１１に示す。
【００６５】
図１１の例で、システムコントローラ３０は、ＤＶＤディスク１０の再生が開始されると、初期設定メモリ３２に保存されている初期設定に係る音声・字幕情報と、再生設定メモリ３３にセットされた再生用の音声・字幕情報とを比較し、両者が一致するかどうかを判断する（ステップＳ１１）。
【００６６】
ここで、両者が一致すると判断した場合はそのまま再生設定メモリ３３の設定情報に従って再生を続行するが（ステップＳ１４）、設定の違いを検出した場合は、初期設定メモリ３２に保存されている音声・字幕情報を再生設定メモリ３３にセットして（ステップＳ１２）、元の位置からリジューム再生する（ステップＳ１３）。
【００６７】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００６８】
【発明の効果】
本発明は上述したように、再生装置に設定されている初期音声・字幕情報と異なる設定でＤＶＤの再生が開始されたときに、その旨をユーザに通知して設定変更を行うか否かの問い合わせを行った後、設定を初期音声・字幕情報に変更するようにしている。これにより、ユーザは自動的に行われる通知に応答して設定変更の指示を出すだけで、音声・字幕の設定を自分好みの初期設定に簡単に戻すことができ、ユーザ操作の負担を格段に軽減することができる。
【００６９】
また、本発明によれば、音声・字幕の設定が異なっているか否かの判断はＤＶＤの再生直後に行われ、本編の音声・字幕設定とは全く関係のないオープニングロール等の再生時点において設定の違いが判明する。したがって、本編に入る前に音声・字幕設定を自分好みの設定に変更することができ、本編の最初から所望の設定でＤＶＤの再生を楽しむことができる。
【図面の簡単な説明】
【図１】本実施形態によるＤＶＤ再生装置の構成例を示すブロック図である。
【図２】本実施形態のＤＶＤ再生動作を画面イメージにより示す図である。
【図３】本実施形態のシステムコントローラによって行われる再生制御動作例を示すフローチャートである。
【図４】ビデオマネージャ（ＶＭＧ）およびビデオタイトルセット（ＶＴＳ）のデータ構造を示す図である。
【図５】ビデオマネージャ情報（ＶＭＧＩ）のデータ構造を示す図である。
【図６】ビデオタイトルセット情報（ＶＴＳＩ）のデータ構造を示す図である。
【図７】プログラムチェーン情報（ＰＧＣＩ）のデータ構造を示す図である。
【図８】プログラムチェーン一般情報（ＰＧＣ＿ＧＩ）のデータ構造を示す図である。
【図９】再生制御情報（ＰＣＩ）のデータ構造を示す図である。
【図１０】ＰＣＩ一般情報（ＰＣＩ＿ＧＩ）のデータ構造を示す図である。
【図１１】本実施形態のシステムコントローラによって行われる他の再生制御動作例を示すフローチャートである。
【図１２】従来のＤＶＤ再生動作を画面イメージにより示す図である。
【符号の説明】
１０  ＤＶＤディスク
２４  サブピクチャデコーダ
２８  操作部
３０  システムコントローラ
３２  初期設定メモリ
３３  再生設定メモリ
【図１】
2004207904.tif 000003
【図２】
2004207904.tif 000004
【図３】
2004207904.tif 000005
【図４】
2004207904.tif 000006
【図５】
2004207904.tif 000007
【図６】
2004207904.tif 000008
【図７】
2004207904.tif 000009
【図８】
2004207904.tif 000010
【図９】
2004207904.tif 000011
【図１０】
2004207904.tif 000012
【図１１】
2004207904.tif 000013
【図１２】
2004207904.tif 000014